(57)【要約】【課題】板状のミラーをより簡単に、より精度よく固定する。【解決手段】  台座プリズムがベース３１に設けられた溝にはめ込まれて、ベース３１に固定され、第１ミラー３３が台座プリズムの側面に突き当てられ、ネジ８２およびネジ８３が支持部７１のネジ穴に螺挿されて、第１ミラー３３が台座プリズムに固定され、第２ミラー３４が台座プリズムの側面に突き当てられ、ネジ８５およびネジ８６が支持部７２のネジ穴に螺挿されて、第２ミラー３４が台座プリズムに固定される。本発明は、光を投射して画像を表示させる画像表示装置などに適用することができる。【選択図】図３
2006337924.tif 000002
【特許請求の範囲】
【請求項１】
入射した光をそのまま透過させるか、または反射させる板状の第１のミラーと、
入射した光をそのまま透過させるか、または反射させる板状の第２のミラーと、
前記第１のミラーを固定するための第１の面、および前記第１の面と所定の角度をなすように設けられた前記第２のミラーを固定するための第２の面を有する固定台と
を備え、
前記第１のミラーは、前記第１のミラーの第３の面が前記固定台の前記第１の面に突き当てられて前記固定台に固定され、前記第２のミラーは、前記第２のミラーの第４の面が前記固定台の前記第２の面に突き当てられて前記固定台に固定される
ことを特徴とする光学素子。
【請求項２】
前記第１のミラーは、前記第３の面に対向する前記第１のミラーの面から入射した光の３原色のうちの第１の色の光をそのまま透過させて前記第２のミラーに入射させ、前記第３の面から入射した光の３原色のうちの第２の色の光を反射させて前記第２のミラーに入射させ、
前記第２のミラーは、前記第４の面から入射した前記第１の色の光および前記第２の色の光をそのまま透過させ、前記第４の面に対向する前記第２のミラーの面から入射した光の３原色のうちの第３の色の光を反射させ、前記第１の色の光、前記第２の色の光、および前記第３の色の光を合成する
ことを特徴とする請求項１に記載の光学素子。
【請求項３】
前記第１のミラーは、前記第３の面と、前記第３の面に対向する前記第１のミラーの面とが所定の角度をなすようにウェッジ状に形成され、
前記第２のミラーは、前記第４の面と、前記第４の面に対向する前記第２のミラーの面とが所定の角度をなすようにウェッジ状に形成される
ことを特徴とする請求項１に記載の光学素子。
【請求項４】
前記第１のミラーおよび前記第２のミラーは、ダイクロイックミラーにより構成され、
前記固定台は、合成石英により形成される
ことを特徴とする請求項１に記載の光学素子。
【請求項５】
光学素子の製造方法において、
入射した光をそのまま透過させるか、または反射させる板状の第１のミラーが、固定台の前記第１のミラーを固定するための第１の面に突き当てられて固定され、
入射した光をそのまま透過させるか、または反射させる板状の第２のミラーが、前記固定台の前記第１の面と所定の角度をなすように設けられた、前記第２のミラーを固定するための第２の面に突き当てられて固定される
ことを特徴とする製造方法。
【請求項６】
光の３原色のうちの第１の色の光を変調する第１の変調手段と、
光の３原色のうちの第２の色の光を変調する第２の変調手段と、
第１の面および前記第１の面と所定の角度をなすように設けられた第２の面を有する固定台と、
前記第１の変調手段から入射した前記第１の色の光をそのまま透過させるか、または反射させる、前記固定台の前記第１の面に突き当てられて固定される板状の第１のミラーと、
前記第１のミラーから入射した前記第１の色の光をそのまま透過させ、前記第１の色の光が入射した面と対向する面に前記第２の変調手段から入射した前記第２の色の光を反射させて前記第１の色の光と、前記第２の色の光とを合成する、前記固定台の前記第２の面に突き当てられて固定される板状の第２のミラーと、
前記第１の色の光と、前記第２の色の光とが合成された光を投射して、画像を表示させる投射手段と
を備えることを特徴とする画像表示装置。
【発明の詳細な説明】
【技術分野】
【０００１】
本発明は光学素子および製造方法、並びに画像表示装置に関し、特に、板状の光学部材をより簡単に、より精度よく固定することができるようにした光学素子および製造方法、並びに画像表示装置に関する。
【背景技術】
【０００２】
従来、光の３原色である赤色、緑色、および青色の光を利用して、画像を表示させる画像表示装置が知られている。例えば、液晶表示デバイスを利用した背面投射型の画像表示装置においては、液晶表示デバイスから射出された赤色の光、緑色の光、および青色の光をダイクロイックプリズムにおいて合成して、合成された光を投射して画像を表示している（例えば、特許文献１参照）。
【０００３】
また、１次元光変調素子を利用した画像表示装置においては、光源から射出された赤色の光、緑色の光、および青色の光のそれぞれを、１次元光変調素子において変調させる。そして、変調された赤色の光、緑色の光、および青色の光を、ダイクロイックプリズムにおいて合成して、合成された光を走査し、さらに走査された光を投射して画像を表示している。
【０００４】
しかしながら、ダイクロイックプリズムは高価であり、コスト高になってしまう。また、ダイクロイックプリズムの反射面（または透過面）に蒸着させる材料として適した材料が少なく、さらに、光源としてレーザを用いた場合には、ダイクロイックプリズムの反射面における光の散乱が無視できなかった。そこで、ダイクロイックプリズムに替えて、２枚の板状のミラーを組み合わせて光を合成する方法が提案されている。
【０００５】
この板状のミラーを利用して光を合成する方法においては、２枚の板状のミラーは、それぞれ、板状のミラーの底面および側面に沿うように設けられている、金属などの基板上の溝にはめ込まれて（挿入されて）接着剤などにより固定される。
【０００６】
そして、１枚目のミラーにおいて、入射した緑色の光および青色の光を合成し、合成された光（緑色の光および青色の光）を２枚目のミラーに入射させる。さらに、２枚目のミラーにおいて、入射した緑色の光および青色の光と赤色の光とを合成して、合成された光を投射して画像を表示させている。
【０００７】
【特許文献１】特開２００２−９０５０５号公報
【発明の開示】
【発明が解決しようとする課題】
【０００８】
しかしながら、上述した板状のミラーを利用して光を合成する方法においては、板状のミラーを固定するための基板上の溝は、板状のミラーの底面および側面に沿うように設けられているため、板状のミラーを固定するための溝を精度よく加工することができず、その結果、板状のミラーを精度よく基板に固定することができなかった。
【０００９】
したがって、板状のミラーに入射するそれぞれの光の位置（入射位置）や角度（入射角度）がずれてしまい、表示される画像は、それぞれの色がずれて見える画像となってしまう。また、板状のミラーを精度よく固定することができないため、これにより生じる画像の色ずれを補正するために、さらに、板状のミラーの前段の光学系を構成する各光学部品の位置を調整しなければならず、この調整は非常に煩雑であった。
【００１０】
本発明はこのような状況に鑑みてなされたものであり、板状のミラーをより簡単に、より精度よく固定することができるようにするものである。
【課題を解決するための手段】
【００１１】
本発明の光学素子は、入射した光をそのまま透過させるか、または反射させる板状の第１のミラーと、入射した光をそのまま透過させるか、または反射させる板状の第２のミラーと、第１のミラーを固定するための第１の面、および第１の面と所定の角度をなすように設けられた第２のミラーを固定するための第２の面を有する固定台とを備え、第１のミラーは、第１のミラーの第３の面が固定台の第１の面に突き当てられて固定台に固定され、第２のミラーは、第２のミラーの第４の面が固定台の第２の面に突き当てられて固定台に固定されることを特徴とする。
【００１２】
第１のミラーには、第３の面に対向する第１のミラーの面から入射した光の３原色のうちの第１の色の光をそのまま透過させて第２のミラーに入射させ、第３の面から入射した光の３原色のうちの第２の色の光を反射させて第２のミラーに入射させ、第２のミラーには、第４の面から入射した第１の色の光および第２の色の光をそのまま透過させ、第４の面に対向する第２のミラーの面から入射した光の３原色のうちの第３の色の光を反射させ、第１の色の光、第２の色の光、および第３の色の光を合成させるようにすることができる。
【００１３】
第１のミラーは、第３の面と、第３の面に対向する第１のミラーの面とが所定の角度をなすようにウェッジ状に形成され、第２のミラーは、第４の面と、第４の面に対向する第２のミラーの面とが所定の角度をなすようにウェッジ状に形成されるようにすることができる。
【００１４】
第１のミラーおよび第２のミラーは、ダイクロイックミラーにより構成され、固定台は、合成石英により形成されるようにすることができる。
【００１５】
本発明の製造方法は、入射した光をそのまま透過させるか、または反射させる板状の第１のミラーが、固定台の第１のミラーを固定するための第１の面に突き当てられて固定され、入射した光をそのまま透過させるか、または反射させる板状の第２のミラーが、固定台の第１の面と所定の角度をなすように設けられた、第２のミラーを固定するための第２の面に突き当てられて固定されることを特徴とする。
【００１６】
本発明の光学素子および製造方法においては、入射した光をそのまま透過させるか、または反射させる板状の第１のミラーが、固定台の第１のミラーを固定するための第１の面に突き当てられて固定され、入射した光をそのまま透過させるか、または反射させる板状の第２のミラーが、固定台の第１の面と所定の角度をなすように設けられた、第２のミラーを固定するための第２の面に突き当てられて固定される。
【００１７】
本発明の画像表示装置は、光の３原色のうちの第１の色の光を変調する第１の変調手段と、光の３原色のうちの第２の色の光を変調する第２の変調手段と、第１の面および第１の面と所定の角度をなすように設けられた第２の面を有する固定台と、第１の変調手段から入射した第１の色の光をそのまま透過させるか、または反射させる、固定台の第１の面に突き当てられて固定される板状の第１のミラーと、第１のミラーから入射した第１の色の光をそのまま透過させ、第１の色の光が入射した面と対向する面に第２の変調手段から入射した第２の色の光を反射させて第１の色の光と、第２の色の光とを合成する、固定台の第２の面に突き当てられて固定される板状の第２のミラーと、第１の色の光と、第２の色の光とが合成された光を投射して、画像を表示させる投射手段とを備えることを特徴とする。
【００１８】
本発明の画像表示装置においては、光の３原色のうちの第１の色の光が変調され、光の３原色のうちの第２の色の光が変調され、固定台の第１の面に突き当てられて固定された板状の第１のミラーにおいて第１の色の光がそのまま透過するか、または反射され、固定台の第１の面と所定の角度をなすように設けられた第２の面に突き当てられて固定された板状の第２のミラーにおいて、第１のミラーから入射した第１の色の光がそのまま透過され、第１の色の光が入射した面と対向する面に入射した第２の色の光が反射されて第１の色の光と、第２の色の光とが合成され、第１の色の光と、第２の色の光とが合成された光が投射されて、画像が表示される。
【発明の効果】
【００１９】
本発明によれば、板状の光学部材を固定することができる。特に、本発明によれば、板状の光学部材をより簡単に、より精度よく固定することができる。
【発明を実施するための最良の形態】
【００２０】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２１】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００２２】
請求項１に記載の光学素子は、入射した光をそのまま透過させるか、または反射させる板状の第１のミラー（例えば、図２の第１ミラー３３）と、入射した光をそのまま透過させるか、または反射させる板状の第２のミラー（例えば、図２の第２ミラー３４）と、第１のミラーを固定するための第１の面（例えば、図２の側面４３）、および第１の面と所定の角度をなすように設けられた第２のミラーを固定するための第２の面（例えば、図２の側面４４）を有する固定台（例えば、図２の台座プリズム３２）とを備え、第１のミラーは、第１のミラーの第３の面（例えば、図２の面４５）が固定台の第１の面に突き当てられて固定台に固定され、第２のミラーは、第２のミラーの第４の面（例えば、図２の面４６）が固定台の第２の面に突き当てられて固定台に固定されることを特徴とする。
【００２３】
請求項２に記載の光学素子は、第１のミラー（例えば、図２の第１ミラー３３）は、第３の面（例えば、図２の面４５）に対向する第１のミラーの面（例えば、図３の面８１）から入射した光の３原色のうちの第１の色の光をそのまま透過させて第２のミラー（例えば、図２の第２ミラー３４）に入射させ、第３の面から入射した光の３原色のうちの第２の色の光を反射させて第２のミラーに入射させ、第２のミラーは、第４の面（例えば、図２の面４６）から入射した第１の色の光および第２の色の光をそのまま透過させ、第４の面に対向する第２のミラーの面（例えば、図３の面８４）から入射した光の３原色のうちの第３の色の光を反射させ、第１の色の光、第２の色の光、および第３の色の光を合成することを特徴とする。
【００２４】
請求項３に記載の光学素子は、第１のミラー（例えば、図２の第１ミラー３３）は、第３の面（例えば、図２の面４５）と、第３の面に対向する第１のミラーの面（例えば、図３の面８１）とが所定の角度をなすようにウェッジ状に形成され、第２のミラー（例えば、図２の第２ミラー３４）は、第４の面（例えば、図２の面４６）と、第４の面に対向する第２のミラーの面（例えば、図３の面８４）とが所定の角度をなすようにウェッジ状に形成されることを特徴とする。
【００２５】
請求項４に記載の光学素子は、第１のミラー（例えば、図２の第１ミラー３３）および第２のミラー（例えば、図２の第２ミラー３４）は、ダイクロイックミラーにより構成され、固定台（例えば、図２の台座プリズム３２）は、合成石英により形成されることを特徴とする。
【００２６】
請求項５に記載の製造方法は、入射した光をそのまま透過させるか、または反射させる板状の第１のミラー（例えば、図２の第１ミラー３３）が、固定台（例えば、図２の台座プリズム３２）の第１のミラーを固定するための第１の面（例えば、図２の側面４３）に突き当てられて固定され（例えば、図１２のステップＳ１３の処理）、入射した光をそのまま透過させるか、または反射させる板状の第２のミラー（例えば、図２の第２ミラー３４）が、固定台の第１の面と所定の角度をなすように設けられた、第２のミラーを固定するための第２の面（例えば、図２の側面４４）に突き当てられて固定される（例えば、図１２のステップＳ１４の処理）ことを特徴とする。
【００２７】
請求項６に記載の画像表示装置は、光の３原色のうちの第１の色の光を変調する第１の変調手段（例えば、図１の１次元光変調素子１２−２、または１次元光変調素子１２−３）と、光の３原色のうちの第２の色の光を変調する第２の変調手段（例えば、図１の１次元光変調素子１２−１）と、第１の面（例えば、図２の側面４３）および第１の面と所定の角度をなすように設けられた第２の面（例えば、図２の側面４４）を有する固定台（例えば、図２の台座プリズム３２）と、第１の変調手段から入射した第１の色の光をそのまま透過させるか、または反射させる、固定台の第１の面に突き当てられて固定される板状の第１のミラー（例えば、図２の第１ミラー３３）と、第１のミラーから入射した第１の色の光をそのまま透過させ、第１の色の光が入射した面と対向する面（例えば、図３の面８４）に第２の変調手段から入射した第２の色の光を反射させて第１の色の光と、第２の色の光とを合成する、固定台の第２の面に突き当てられて固定される板状の第２のミラー（例えば、図２の第２ミラー３４）と、第１の色の光と、第２の色の光とが合成された光を投射して、画像を表示させる投射手段（例えば、図１の拡大投影系１６）とを備えることを特徴とする。
【００２８】
本発明は、画像表示装置、３CCD（Charge Coupled Devices）カメラなどに適用することができる。
【００２９】
以下、図面を参照して、本発明の実施の形態について説明する。
【００３０】
図１は、本発明を適用した画像表示装置の構成例を示す図である。
【００３１】
画像表示装置は、光源１１−１乃至光源１１−３、１次元光変調素子１２−１乃至１次元光変調素子１２−３、色合成部１３、光偏向部１４、２次光学系１５、および拡大投影系１６を含むように構成され、画像表示装置は、画像を表示させるための光をスクリーン１７に投射して、スクリーン１７上に２次元の画像を表示させる。
【００３２】
光源１１−１乃至光源１１−３のそれぞれは、赤色（Ｒ）、緑色（Ｇ）、および青色（Ｂ）の直線状の光（レーザ）を射出して、射出した直線状の光をそれぞれ１次元光変調素子１２−１乃至１次元光変調素子１２−３に入射させる。なお、以下、光源１１−１乃至光源１１−３のそれぞれを個々に区別する必要のない場合、単に光源１１と称する。
【００３３】
１次元光変調素子１２−１乃至１次元光変調素子１２−３のそれぞれは、例えば、赤色、緑色、および青色のそれぞれの直線状の光を変調するためのGLV（Grating Light Valve）などからなり、光源１１−１乃至光源１１−３のそれぞれから入射した直線状の光を変調して、変調した光を色合成部１３に入射させる。
【００３４】
例えば、１次元光変調素子１２−１乃至１次元光変調素子１２−３のそれぞれを構成するGLVのそれぞれは、表面に反射膜が形成された可動するリボン電極（以下、可動リボン電極と称する）、表面に反射膜が形成された固定されているリボン電極（以下、固定リボン電極と称する）、シリコン基板上のポリシリコン薄膜からなる共通電極などを含むように構成されている。
【００３５】
可動リボン電極および固定リボン電極は、共通電極上に光源１１から入射する直線状の光の長手方向に沿うようにして交互に配置されており、駆動電圧が印加されていない状態において、可動リボン電極および固定リボン電極の各反射面（反射膜が形成されている面）は、共通電極からの高さが等しくなるようになされている。
【００３６】
また、可動リボン電極に駆動電圧が印加されると、可動リボン電極と共通電極との間に静電力が生じ、その静電力に応じて可動リボン電極が移動または変形し、可動リボン電極の反射面と、固定リボン電極の反射面との共通電極からの高さが異なる（一致しなくなる）ようになされている。そのため、光源１１から入射した光のうち、固定リボン電極の反射面において反射した光と、可動リボン電極の反射面において反射した光とでは光路差が生じ、これによりGLVが反射型回折格子として機能し、所定の次数を含む回折光が生じる。このようにしてGLVにおいて生じた回折光は空間的に変調されて、色合成部１３に入射する。
【００３７】
なお、以下、１次元光変調素子１２−１乃至１次元光変調素子１２−３のそれぞれを個々に区別する必要のない場合、単に、１次元光変調素子１２と称する。また、ここでは、１次元光変調素子１２としてGLVを用いる例について説明したが、GLVに限らず、DMD（Digital Micromirror Device）（商標）や反射型または透過型の液晶素子などを用いるようにしてもよい。
【００３８】
色合成部１３は、例えば、２枚の板状のミラーなどから構成され、１次元光変調素子１２−１乃至１次元光変調素子１２−３のそれぞれから入射した、赤色の光、緑色の光、および青色の光を合成して、合成した光を光偏向部１４に入射させる。光偏向部１４は、例えば、ガルバノミラーなどにより構成され、光偏向部１４は、ガルバノミラーの反射面を回動させることにより、色合成部１３から入射した光に対する走査を行い、走査された光を２次光学系１５に入射させる。
【００３９】
２次光学系１５は、光偏向部１４から入射した、走査された光を集光して２次元像を形成させる。拡大投影系１６は、２次光学系１５を経て得られた２次元像を中間像として、これを拡大してスクリーン１７に投影し、スクリーン１７上に２次元の画像を表示させる。
【００４０】
図２は、図１の色合成部１３のより詳細な構成例を示す斜視図である。
【００４１】
図２では、色合成部１３は、ベース３１、台座プリズム３２、第１ミラー３３、および第２ミラー３４を含むように構成され、台座プリズム３２、第１ミラー３３、および第２ミラー３４がベース３１上に配置されている。
【００４２】
ベース３１は、例えば、銅、アルミニウムなどの金属により形成されており、その図中、上側の面には、三角柱形状の台座プリズム３２の底面よりやや大きい、台座プリズム３２を固定するための溝が設けられている。この溝は高い精度で加工されており、台座プリズム３２はこの溝にはめ込まれて、ベース３１の図中、手前側の側面４１側に押さえ付けられて固定されている。
【００４３】
台座プリズム３２は、例えば、熱膨張係数の低い合成石英などのガラス材料により形成されており、特に、台座プリズム３２の側面４２乃至側面４４のそれぞれのなす角度が予め定められた所定の角度となるように、高い精度で加工されている。
【００４４】
第１ミラー３３は、例えば、ダイクロイックミラーなどからなり、熱膨張係数の低い合成石英などのガラス材料が高い精度で板状に加工されて形成されている。第１ミラー３３は、図中、手前側の面４５が台座プリズム３２の側面４３に突き当てられて、台座プリズム３２に固定されている。第１ミラー３３と同様に、第２ミラー３４は、例えば、ダイクロイックミラーなどからなり、熱膨張係数の低い合成石英などのガラス材料が高い精度で板状に加工されて形成されている。第２ミラー３４は、図中、左側の面４６が台座プリズム３２の側面４４に突き当てられて、台座プリズム３２に固定されている。
【００４５】
また、図３に示すように、ベース３１上には、第１ミラー３３および第２ミラー３４をそれぞれ支持するための支持部７１および支持部７２が固定されている。なお、図３は、図２の色合成部１３を、図２中、右斜め後方から見た場合の色合成部１３の外観を示す斜視図である。
【００４６】
支持部７１は、例えば、銅、アルミニウムなどの金属により形成されており、支持部７１は、第１ミラー３３の面４５に対向する第１ミラー３３の面８１の図中、手前側に配置されている。また、支持部７１の図中、手前側の側面には、２つのネジ穴が設けられており、ネジ穴に、例えば、いわゆるイモネジなどのネジ８２およびネジ８３がそれぞれ螺挿されることにより、支持部７１と第１ミラー３３の面８１との間に挿入された長方形状の板７３が第１ミラー３３の面８１に押し当てられるようになされており、これにより第１ミラー３３は台座プリズム３２に押し当てられて、台座プリズム３２に固定される。
【００４７】
また、支持部７２は、例えば、銅、アルミニウムなどの金属により形成されており、支持部７２は、第２ミラー３４の面４６に対向する第２ミラー３４の面８４の図中、手前側に配置されている。また、支持部７２の図中、手前側の側面には、２つのネジ穴が設けられており、ネジ穴に、例えば、いわゆるイモネジなどのネジ８５およびネジ８６がそれぞれ螺挿されることにより、支持部７２と第２ミラー３４の面８４との間に挿入された長方形状の板７４が第２ミラー３４の面８４に押し当てられるようになされており、これにより第２ミラー３４は台座プリズム３２に押し当てられて、台座プリズム３２に固定される。
【００４８】
すなわち、図４に示すように、第１ミラー３３は、第１ミラー３３の面４５が台座プリズム３２の側面４３に突き当てられて、板７３により矢印Ａ１１に示す方向に押さえつけられて台座プリズム３２に固定される。
【００４９】
そして、第２ミラー３４も第１ミラー３３における場合と同様に、第２ミラー３４の面４６が台座プリズム３２の側面４４に突き当てられて、板７４により矢印Ａ１２に示す方向に押さえつけられて台座プリズム３２に固定される。
【００５０】
より具体的には、図５に示すように、支持部７１は、ネジ１０１およびネジ１０２によってベース３１に固定され、支持部７２は、ネジ１０３およびネジ１０４によってベース３１に固定される。すなわち、ネジ１０１およびネジ１０２が、ベース３１の台座プリズム３２が配置されている面とは反対側の面から、ベース３１に設けられたネジ穴に通されて（挿入されて）、支持部７１の図示せぬネジ受けに螺合され、これにより支持部７１がベース３１に固定される。
【００５１】
同様に、ネジ１０３およびネジ１０４が、ベース３１の台座プリズム３２が配置されている面とは反対側の面から、ベース３１に設けられたネジ穴に通されて（挿入されて）、支持部７２の図示せぬネジ受けに螺合され、これにより支持部７２がベース３１に固定される。
【００５２】
そして、支持部７１および支持部７２がベース３１に固定されると、第１ミラー３３および第２ミラー３４がそれぞれ、支持部７１と台座プリズム３２の側面４３との間、および支持部７２と台座プリズム３２の側面４４との間に配置されて、台座プリズム３２に固定される。
【００５３】
例えば、第２ミラー３４を固定する場合、図６に示すように、支持部７２と台座プリズム３２の側面４４との間に第２ミラー３４が配置される。そして、第２ミラー３４の面８４と支持部７２との間に板７４が配置される。さらに、支持部７２のネジ穴にネジ８５およびネジ８６が螺挿されて、第２ミラー３４が板７４により台座プリズム３２の側面４４に押さえ付けられて台座プリズム３２に固定される。
【００５４】
ネジ８５およびネジ８６が支持部７２のネジ穴に螺挿されると、図７に示すように、ネジ８５およびネジ８６は、板７４を矢印Ａ２１に示す方向（図中、上方向）に押さえ付けることになる。そして、板７４は、ネジ８５およびネジ８６に矢印Ａ２１に示す方向に押されるので、板７４は、第２ミラー３４を台座プリズム３２の側面４４に押さえ付ける。
【００５５】
また、台座プリズム３２は、ベース３１に設けられた溝にはめ込まれており、台座プリズム３２は、ベース３１に設けられた溝の側面４１（図２）側の面に係止するようになされているので、ネジ８５およびネジ８６が支持部７２のネジ穴に螺挿されると、第２ミラー３４は、板７４により台座プリズム３２の側面４４に押さえ付けられて、台座プリズム３２に固定される。
【００５６】
このように、高い精度で加工された第１ミラー３３および第２ミラー３４を、高い精度で加工された台座プリズム３２の側面４３および側面４４に突き当てて固定することにより、第１ミラー３３および第２ミラー３４をベース３１（台座プリズム３２）に、より簡単に、かつより精度よく固定することができる。
【００５７】
ところで、上述したように、色合成部１３は、１次元光変調素子１２から入射した光を合成して、合成された光を光偏向部１４に入射させる。例えば、色合成部１３は、図８に示すように、１次元光変調素子１２−２および１次元光変調素子１２−３からの光が第１ミラー３３に入射し、さらに、第１ミラー３３から射出された光および１次元光変調素子１２−１からの光が第２ミラー３４に入射するように配置されている。
【００５８】
第１ミラー３３の面４５には、所定の色（波長）の光を反射させる膜が形成されており、例えば、第１ミラー３３は、第１ミラー３３の面４５に入射した緑色の光をそのまま透過させて、第１ミラー３３の面４５に入射した青色の光を反射させる。
【００５９】
したがって、第１ミラー３３は、１次元光変調素子１２−２から第１ミラー３３の面８１に入射した緑色の光をそのまま透過させて、第１ミラー３３の面４５から射出して第２ミラー３４に入射させ、１次元光変調素子１２−３から第１ミラー３３の面４５に入射した青色の光を面４５において反射させて、第２ミラー３４に入射させる。
【００６０】
また、第２ミラー３４の面８４には、所定の色（波長）の光を反射させる膜が形成されており、例えば、第２ミラー３４は、第２ミラー３４の面８４に入射した緑色の光および青色の光をそのまま透過させて、第２ミラー３４の面８４に入射した赤色の光を反射させる。
【００６１】
したがって、第２ミラー３４は、第１ミラー３３から第２ミラー３４の面４６に入射した緑色の光および青色の光をそのまま透過させて、第２ミラー３４の面８４から射出して光偏向部１４に入射させ、１次元光変調素子１２−１から第２ミラー３４の面８４に入射した赤色の光を面８４において反射させて、光偏向部１４に入射させる。
【００６２】
より詳細には、図９に示すように、第１ミラー３３は、１次元光変調素子１２−３からの青色の光が、第１ミラー３３の面４５に対して４５度の角度で入射するように配置されており、表示される画像の画質の劣化の原因となる非点収差を補正するために、第１ミラー３３の面４５と面８１とが所定の角度をなすようになされている（第１ミラー３３がウェッジ形状となっている）。また、面４５および面８１に隣接する面１２１および面１２２は、それぞれ面４５に垂直となるようになされている。
【００６３】
第２ミラー３４は、１次元光変調素子１２−１からの赤色の光が、第２ミラー３４の面８４に対して４５度の角度で入射するように配置されており、表示される画像の画質の劣化の原因となる非点収差を補正するために、第２ミラー３４の面４６と面８４とが所定の角度をなすようになされている（第２ミラー３４がウェッジ形状となっている）。また、面４６および面８４に隣接する面１２３および面１２４は、それぞれ面８４に垂直となるようになされている。
【００６４】
さらに、第１ミラー３３の外形は、例えば、図１０Ａに示すように、第１ミラー３３の図中、横方向の長さ（面１２１から面１２２までの長さ）が24mmであり、第１ミラー３３の縦方向の長さ（面８１および面４５に隣接する、面１２１および面１２２とは異なる２つの面のうちの１つの面から他の面までの長さ）が45mmである。
【００６５】
また、１次元光変調素子１２−２からの緑色の光が面８１に入射する位置は、面１２２から図中、右側に10.5mmの位置であり、その位置から面１２１までの長さは13.5mmである。さらに、１次元光変調素子１２−２からの緑色の光が面８１に入射する位置における、面８１から面４５までの長さ（厚さ）は3mmとなっており、面４５と面８１とがなす角度は、22.7分となっている。
【００６６】
これに対して、第２ミラー３４の外形は、例えば、図１０Ｂに示すように、第２ミラー３４の図中、横方向の長さ（面１２３から面１２４までの長さ）が28mmであり、第２ミラー３４の縦方向の長さ（面４６および面８４に隣接する、面１２３および面１２４とは異なる２つの面のうちの１つの面から他の面までの長さ）が45mmである。
【００６７】
また、第１ミラー３３からの緑色の光および青色の光が面４６に入射する位置における、面４６から面８４までの長さ（厚さ）は3mmとなっており、面４６と面８４とがなす角度は、15.5分となっている。
【００６８】
そして、このような外形の第１ミラー３３および第２ミラー３４は、例えば、図１１に示す公差を満たすように加工されて形成され、台座プリズム３２に固定される。
【００６９】
図１１では、第１ミラー３３および第２ミラー３４のそれぞれに対する、ウェッジ角度、平板取り付け角度、および副方向角度の公差が示されている。ここで、ウェッジ角度とは、１次元光変調素子１２からの光が反射または透過する互いに対向する２つの面がなす角度をいい、平板取り付け角度とは、第１ミラー３３または第２ミラー３４の台座プリズム３２の側面４２に対する角度をいい、副方向角度とは、第１ミラー３３または第２ミラー３４の台座プリズム３２の側面４３または側面４４に対する角度をいう。
【００７０】
したがって、第１ミラー３３は、面４５および面８１のなす角度が２２．７分＋０．５分／−２分、すなわち、面４５および面８１のなす角度が２０．７分乃至２３．２分の範囲の角度となるように加工されて形成される。
【００７１】
そして、第１ミラー３３は、第１ミラー３３の面４５と台座プリズム３２の側面４２とがなす角度が４５度±３．５分の範囲の角度となり、かつ第１ミラー３３の面４５と台座プリズム３２の側面４３とが面４５に垂直な方向になす角度が０度±３．５分の範囲の角度となるように台座プリズム３２の側面４３に押さえ付けられて固定される。
【００７２】
これに対して、第２ミラー３４は、面４６および面８４のなす角度が１５．５分＋０．５分／−１．５分、すなわち、面４６および面８４のなす角度が１４分乃至１６分の範囲の角度となるように加工されて形成される。
【００７３】
そして、第２ミラー３４は、第２ミラー３４の面４６と台座プリズム３２の側面４２とがなす角度が４５度±２．５分の範囲の角度となり、かつ第２ミラー３４の面４６と台座プリズム３２の側面４４とが面４６に垂直な方向になす角度が０度±２．５分の範囲の角度となるように台座プリズム３２の側面４４に押さえ付けられて固定される。
【００７４】
次に、図１２のフローチャートを参照して、以上において説明した色合成部１３が作業者によって組み立てられる処理である、組み立ての処理を説明する。
【００７５】
ステップＳ１１において、台座プリズム３２がベース３１に固定される。例えば、台座プリズム３２がベース３１に設けられた溝にはめ込まれて、その溝のベース３１の側面４１側の面に押さえ付けられる。そして、台座プリズム３２が、例えば、接着剤などによりベース３１に固定される。
【００７６】
ステップＳ１２において、支持部７１および支持部７２がベース３１に固定される。例えば、図５に示したように、支持部７１は、ネジ１０１およびネジ１０２によりベース３１に固定され、支持部７２は、ネジ１０３およびネジ１０４によりベース３１に固定される。
【００７７】
支持部７１および支持部７２がベース３１に固定されると、台座プリズム３２の側面４３と支持部７１との間に第１ミラー３３が挿入され、さらに、支持部７１と第１ミラー３３との間に板７３が挿入される。そして、ステップＳ１３において、支持部７１のネジ穴にネジ８２およびネジ８３が螺挿され、第１ミラー３３が板７３によって台座プリズム３２の側面４３に押さえ付けられて、第１ミラー３３が台座プリズム３２に突き当てられるようにして台座プリズム３２に固定される。
【００７８】
第１ミラー３３が台座プリズム３２に固定されると、台座プリズム３２の側面４４と支持部７２との間に第２ミラー３４が挿入され、さらに、支持部７２と第２ミラー３４との間に板７４が挿入されて、処理はステップＳ１３からステップＳ１４に進む。
【００７９】
ステップＳ１４において、支持部７２のネジ穴にネジ８５およびネジ８６が螺挿される。そして、第２ミラー３４が板７４によって台座プリズム３２の側面４４に押さえ付けられて、第２ミラー３４が台座プリズム３２に突き当てられるようにして台座プリズム３２に固定され、組み立ての処理は終了する。
【００８０】
このようにして、第１ミラー３３および第２ミラー３４は、台座プリズム３２の側面４３および側面４４に突き当てられて、台座プリズム３２に固定される。このように、第１ミラー３３および第２ミラー３４が、台座プリズム３２に突き当てられて固定される場合、第１ミラー３３および第２ミラー３４が固定される位置および角度の精度は、第１ミラー３３、第２ミラー３４、および台座プリズム３２のそれぞれの面の加工の精度により定まる。
【００８１】
したがって、従来のように、第１ミラーおよび第２ミラーの底面と側面とに沿って、ベースに溝を設けて、第１ミラーおよび第２ミラーをベースに固定する方法と比べて、より簡単に、かつより精度よく第１ミラー３３および第２ミラー３４をベース３１（台座プリズム３２）に固定することができる。
【００８２】
特に、２枚の板状のミラー（例えば、第１ミラー３３および第２ミラー３４）を用いて赤色の光、緑色の光、および青色の光を合成する場合には、非点収差を補正するために、板状のミラーはウェッジ形状とされることが多い。このように、２枚の板状のミラーがウェッジ形状である場合には、ベースに溝を設けて板状のミラーを固定する従来の方法では、ベースに設ける溝も板状のミラーの形状に合わせて、ウェッジ形状にしなければならないが、以上において説明したように、第１ミラー３３および第２ミラー３４を台座プリズム３２に突き当てて固定することで、第１ミラー３３および第２ミラー３４の形状に関わらず、より簡単により精度よく第１ミラー３３および第２ミラー３４を、所望の位置に所望する角度でベース３１（台座プリズム３２）に固定することができる。
【００８３】
また、２枚の板状のミラーを用いて赤色の光、緑色の光、および青色の光を合成する場合、固定されている板状のミラーの位置および角度は、画像表示装置内部の温度や湿度などの板状のミラーの環境の変化により変化する。このような環境の変化により生じる板状のミラー（例えば、第１ミラー３３および第２ミラー３４）の位置ずれや角度ずれは、表示される画像の色ずれや、後段の光学系におけるけられの原因となってしまうため、板状のミラーには、環境の変化に対する位置や角度の安定性が要求される。
【００８４】
例えば、図１３に示すように、第１ミラー３３を第１ミラー３３の面１２１に垂直かつ、１次元光変調素子１２−３からの光が第１ミラー３３の面４５に入射する位置を通る直線Ｂ１１を軸として、矢印Ａ４１の方向に１．５分だけ回動させた場合、第２ミラー３４を第２ミラー３４の面１２３に垂直かつ、１次元光変調素子１２−１からの光が第２ミラー３４の面８１に入射する位置を通る直線Ｂ１２を軸として、矢印Ａ４２の方向に１．５分だけ回動させた場合、および第１ミラー３３を矢印Ａ４１の方向に１．５分だけ回動させ、さらに、第２ミラー３４を矢印Ａ４２の方向に１．５分だけ回動させた場合を考える。
【００８５】
このように、第１ミラー３３または第２ミラー３４を回動させた場合に、図１の２次光学系１５によって結像される２次元像の位置（２次元像面）において生じる位置ずれを図１４に示す。図１４では、光源１１−１から射出された赤色の光、光源１１−２から射出された緑色の光、および光源１１−３から射出された青色の光のそれぞれに対して、第１ミラー３３を回動させた角度、第２ミラー３４を回動させた角度、それにより生じる２次元像面における位置ずれの大きさ、および２次元像面における画素（ドット）を単位とする位置ずれの大きさが示されており、１ドットは25.5μmとされている。また、位置ずれの符号は、図２において図中、上方向の位置ずれが正とされ、下方向の位置ずれが負とされている。
【００８６】
例えば、第１ミラー３３を、図１３の矢印Ａ４１の方向に１．５分だけ回動させた場合、光源１１−２から射出された緑色の光の２次元像面における位置ずれは0.5μmであり、画素単位では０ドットである。また、第２ミラー３４を、図１３の矢印Ａ４２の方向に１．５分だけ回動させた場合、光源１１−２から射出された緑色の光の２次元像面における位置ずれは-0.5μmであり、画素単位では０ドットである。さらに、第１ミラー３３を、図１３の矢印Ａ４１の方向に１．５分だけ回動させ、第２ミラー３４を、矢印Ａ４２の方向に１．５分だけ回動させた場合、光源１１−２から射出された緑色の光の２次元像面における位置ずれは0μmであり、画素単位では０ドットである。
【００８７】
光源１１−１から射出される赤色の光は、第１ミラー３３には入射しないので、第１ミラー３３の位置ずれまたは角度ずれの影響は受けない。第２ミラー３４を、図１３の矢印Ａ４２の方向に１．５分だけ回動させた場合、光源１１−１から射出された赤色の光の２次元像面における位置ずれは44μmであり、画素単位では１．７ドットである。
【００８８】
また、第１ミラー３３を、図１３の矢印Ａ４１の方向に１．５分だけ回動させた場合、光源１１−３から射出された青色の光の２次元像面における位置ずれは-32μmであり、画素単位では−１．３ドットである。また、第２ミラー３４を、図１３の矢印Ａ４２の方向に１．５分だけ回動させた場合、光源１１−３から射出された青色の光の２次元像面における位置ずれは0.5μmであり、画素単位では０ドットである。さらに、第１ミラー３３を、図１３の矢印Ａ４１の方向に１．５分だけ回動させ、第２ミラー３４を、矢印Ａ４２の方向に１．５分だけ回動させた場合、光源１１−３から射出された青色の光の２次元像面における位置ずれは-32μmであり、画素単位では−１．３ドットである。
【００８９】
したがって、第１ミラー３３が、図１３の矢印Ａ４１の方向に１．５分だけ回動し、第２ミラー３４が、矢印Ａ４２の方向に１．５分だけ回動した場合、本来ならば図１５の左側に示すように、２次元像面において結像する赤色の光、緑色の光、および青色の光が合成された光の像１５１は、図中、右側に示すように、位置ずれせずに結像した緑色の光の像１５２、図中、上側に１．７ドットだけ位置ずれして結像した赤色の光の像１５３、および図中、下側に１．３ドットだけ位置ずれして結像した青色の光の像１５４の３つの像に分かれてしまい、表示される画像は色ずれした画像となってしまう。
【００９０】
このように、板状の第１ミラー３３および第２ミラー３４を用いて色合成を行う場合、第１ミラー３３および第２ミラー３４のわずかな傾き（角度ずれ）によって、画像の色ずれが生じてしまう。したがって、表示された画像を見る観測者に色ずれを感じさせないためには、２次元像面における位置ずれを０．２ドット以下に抑えなければならない。
【００９１】
例えば、図１６に示すように、第１ミラー３３の面４５の中心を通り、面４５に垂直な直線Ｂ４１を軸として第１ミラー３３を回動させる方向をγ１方向とし、面４５の中心を通り、面１２１および直線Ｂ４１に垂直な直線を軸として第１ミラー３３を回動させる方向をα１方向とし、面４５の中心を通り、直線Ｂ４１および面１２１の法線に垂直な直線Ｂ４２を軸として第１ミラー３３を回動させる方向をβ１方向とする。
【００９２】
そして、面４５の中心を通り、面１２１および直線Ｂ４１に垂直な方向をＸ１方向とし、Ｘ１方向および直線Ｂ４１となす角が４５度である方向をＺ１方向とすると、画像表示装置の動作中、または画像表示装置内部の環境の変化前と変化後とにおける、第１ミラー３３の０．２ドット分に相当する位置ずれまたは角度ずれは、図１７に示すようになる。
【００９３】
図１７では、２次元像面における０．２ドット分の位置ずれに相当する、第１ミラー３３の位置ずれまたは角度ずれが示されている。
【００９４】
例えば、２次元像面における０．２ドット分の位置ずれに相当する、第１ミラー３３のβ１方向の角度ずれは0.12分であり、α１方向の角度ずれは0.12分であり、γ１方向の角度ずれは５度である。また、２次元像面における０．２ドット分の位置ずれに相当する、第１ミラー３３のＸ１方向の位置ずれは1.25mmであり、Ｚ１方向の位置ずれは3.5μmである。
【００９５】
また、例えば、図１８に示すように、第２ミラー３４の面４６の中心を通り、面４６に垂直な直線Ｂ６１を軸として第２ミラー３４を回動させる方向をγ２方向とし、面４６の中心を通り、面１２３および直線Ｂ６１に垂直な直線を軸として第２ミラー３４を回動させる方向をα２方向とし、面４６の中心を通り、直線Ｂ６１および面１２３の法線に垂直な直線Ｂ６２を軸として第２ミラー３４を回動させる方向をβ２方向とする。
【００９６】
そして、面４６の中心を通り、面１２３および直線Ｂ６１に垂直な方向をＸ２方向とし、Ｘ２方向および直線Ｂ６１となす角が４５度である方向をＺ２方向とすると、画像表示装置の動作中、または画像表示装置内部の環境の変化前と変化後とにおける、第２ミラー３４の０．２ドット分に相当する位置ずれまたは角度ずれは、図１９に示すようになる。
【００９７】
図１９では、２次元像面における０．２ドット分の位置ずれに相当する、第２ミラー３４の位置ずれまたは角度ずれが示されている。
【００９８】
例えば、２次元像面における０．２ドット分の位置ずれに相当する、第２ミラー３４のβ２方向の角度ずれは0.12分であり、α２方向の角度ずれは0.12分であり、γ２方向の角度ずれは５度である。また、２次元像面における０．２ドット分の位置ずれに相当する、第２ミラー３４のＸ２方向の位置ずれは1.75mmであり、Ｚ２方向の位置ずれは3.5μmである。
【００９９】
このように、第１ミラー３３および第２ミラー３４のわずかな位置ずれや角度ずれによって、画像の色ずれが生じてしまうが、第１ミラー３３および第２ミラー３４は、熱膨張係数の低い合成石英により形成された台座プリズム３２に固定されているため、画像表示装置内部の温度変化や湿度変化に対して、位置ずれや角度ずれが生じにくくなっている。
【０１００】
例えば、画像表示装置内部の温度を、室温から４０度だけ変化させた場合の角度ずれは、図１３の矢印Ａ４１に示す方向の第１ミラー３３の角度ずれが６秒であり、矢印Ａ４２に示す方向の第２ミラー３４の角度ずれが６秒である。実際には、画像表示装置内の温度の変化（上昇）は１０度程度であるので、第１ミラー３３の矢印Ａ４１に示す方向の角度ずれ、および第２ミラー３４の矢印Ａ４２に示す方向の角度ずれは、それぞれ１．５秒程度であると予測される。この場合の２次元像面における位置ずれは、光源１１−１から射出された赤色の光の位置ずれ、および光源１１−３から射出された青色の光の位置ずれは、それぞれ０．０５ドットであり、画像の色ずれは殆ど生じないことが分かる。
【０１０１】
また、画像表示装置内部の温度を室温から４０度だけ変化させた場合、第１ミラー３３は、図１３の矢印Ａ４１に示す方向に６秒だけ傾き（回動し）、第２ミラー３４は、図１３の矢印Ａ４２に示す方向に６秒だけ傾いてその状態を維持する。そして、その状態から画像表示装置内部の温度を室温に戻した場合、第１ミラー３３および第２ミラー３４は、画像表示装置内部の温度を変化させる前の状態（角度ずれがない状態）に戻る。
【０１０２】
このように、第１ミラー３３および第２ミラー３４を、熱膨張係数の低い合成石英により形成された台座プリズム３２に押し付けて固定することで、画像表示装置内部の温度が大きく変化する場合においても、温度が安定していれば第１ミラー３３および第２ミラー３４の位置も安定するので（位置が変動しないので）、予め画像表示装置内部の温度の上昇を見込んで第１ミラー３３および第２ミラー３４の位置を調整することができる。
【０１０３】
さらに、金属により形成されたベースに溝を設けて板状のミラーを固定する従来の方法では、ベースの熱膨張係数と板状のミラーの熱膨張係数とは大きく異なるので、画像表示装置内部の温度が変化すると、板状のミラーに歪みが生じて、表示された画像が歪んでしまうが、第１ミラー３３および第２ミラー３４を、図４に示すように熱膨張係数の等しい台座プリズム３２に押さえ付けて固定することによって、第１ミラー３３および第２ミラー３４の図中、上側の部分にはストレスがかからないため、第１ミラー３３および第２ミラー３４が歪むことがなく、したがって、位置ずれや角度ずれも生じにくいので、表示された画像が歪んだり、色ずれが生じにくくなっている。
【０１０４】
以上のように、本発明によれば、第１ミラーおよび第２ミラーのそれぞれの面を台座プリズムの側面に突き当てて、第１ミラーおよび第２ミラーを台座プリズムに固定するようにしたので、より簡単に、かつより精度よく板状の第１ミラーおよび第２ミラーをベース（台座プリズム）に固定することができる。
【０１０５】
なお、第１ミラー３３および第２ミラー３４は、ウェッジ形状であると説明したが、平行平板を用いるようにしてもよい。
【０１０６】
また、１次元光変調素子１２から入射した光を色合成部１３において合成すると説明したが、１次元光変調素子１２に限らず、液晶表示デバイスから入射した光を色合成部１３において合成するようにしてもよい。
【０１０７】
この場合、例えば、図２０に示すように、画像表示装置は、光源２０１−１乃至光源２０１−３、液晶表示デバイス２０２−１乃至液晶表示デバイス２０２−３、色合成部１３、および拡大投影系２０３を含むように構成され、画像表示装置は、画像を表示させるための光をスクリーン２０４に投射して、スクリーン２０４上に２次元の画像を表示させる。
【０１０８】
光源２０１−１乃至光源２０１−３のそれぞれは、例えば、メタルハライドランプなどからなり、白色の光を射出して、液晶表示デバイス２０２−１乃至液晶表示デバイス２０２−３のそれぞれに入射させる。液晶表示デバイス２０２−１乃至液晶表示デバイス２０２−３のそれぞれは、光源２０１−１乃至光源２０１−３のそれぞれから入射した光のうち、画素ごとに所定の強さの所定の波長の光を透過させる、透過型の液晶表示デバイスである。
【０１０９】
例えば、液晶表示デバイス２０２−１は、光源２０１−１から入射した光のうち、赤色の画像を表示させる光（赤色の光）を透過させて、色合成部１３に入射させる。また、液晶表示デバイス２０２−２は、光源２０１−２から入射した光のうち、緑色の画像を表示させる光（緑色の光）を透過させて色合成部１３に入射させ、液晶表示デバイス２０２−３は、光源２０１−３から入射した光のうち、青色の画像を表示させる光（青色の光）を透過させて色合成部１３に入射させる。
【０１１０】
色合成部１３は、液晶表示デバイス２０２−１乃至液晶表示デバイス２０２−３から入射した光を合成して、合成された光を、拡大投影系２０３を介してスクリーン２０４に投影し、スクリーン２０４に画像を表示させる。
【０１１１】
さらに、図９において、色合成部１３において合成された光が射出する方向から光を入射させることによって、色合成部１３において、入射した光を分解（分離）させることもできる。すなわち、図９の図中、右側から色合成部１３に光を入射させると、入射した光のうち赤色の光は、第２ミラー３４の面８４において、図中、上方向に反射される。
【０１１２】
そして、色合成部１３に入射した光のうち緑色の光および青色の光は、第２ミラー３４をそのまま透過して第１ミラー３３に入射する。さらに、第１ミラー３３に入射した光のうち、青色の光は第１ミラー３３の面４５において図中、下方向に反射され、緑色の光は、第１ミラー３３をそのまま透過する。このように、色合成部１３では、入射した光を分離させることもでき、例えば、色合成部１３を３CCDカメラなどに適用することもできる。
【０１１３】
この場合、３CCDカメラに入射した光は、第２ミラー３４に入射し、赤色の光は第２ミラーにおいて反射されてCCD（撮像素子）に入射する。一方、第２ミラー３４をそのまま透過した緑色の光および青色の光は、第１ミラー３３に入射する。そして、青色の光は、第１ミラー３３において反射されてCCDに入射し、緑色の光は、第１ミラー３３をそのまま透過してCCDに入射する。
【図面の簡単な説明】
【０１１４】
【図１】本発明を適用した画像表示装置の構成例を示す図である。
【図２】色合成部のより詳細な構成例を示す斜視図である。
【図３】色合成部のより詳細な構成例を示す斜視図である。
【図４】台座プリズムに第１ミラーおよび第２ミラーを固定する方向を示す図である。
【図５】支持部のベースへの取り付けを説明する図である。
【図６】第２ミラーの台座プリズムへの固定方法を説明する図である。
【図７】台座プリズムに第２ミラーを固定する方向を示す図である。
【図８】色合成部における光の合成を説明する図である。
【図９】色合成部における光の合成を説明する図である。
【図１０】第１ミラーおよび第２ミラーの外形を説明する図である。
【図１１】第１ミラーおよび第２ミラーの公差を示す図である。
【図１２】組み立ての処理を説明するフローチャートである。
【図１３】第１ミラーおよび第２ミラーが傾く方向を示す図である。
【図１４】第１ミラーおよび第２ミラーが傾いた場合に生じる位置ずれを説明する図である。
【図１５】第１ミラーおよび第２ミラーが傾いた場合に生じる位置ずれを説明する図である。
【図１６】第１ミラーの位置ずれおよび角度ずれの方向を示す図である。
【図１７】２次元像面における０．２ドット分の位置ずれに相当する第１ミラーの位置ずれおよび角度ずれの大きさを説明する図である。
【図１８】第２ミラーの位置ずれおよび角度ずれの方向を示す図である。
【図１９】２次元像面における０．２ドット分の位置ずれに相当する第２ミラーの位置ずれおよび角度ずれの大きさを説明する図である。
【図２０】本発明を適用した画像表示装置の構成例を示す図である。
【符号の説明】
【０１１５】
１２−１乃至１２−３  １次元光変調素子，  １３  色合成部，  ３１  ベース，  ３２  台座プリズム，  ３３  第１ミラー，  ３４  第２ミラー，  ４３  側面，  ４４  側面，  ４５  面，  ４６  面，  ７１  支持部，  ７２支持部，  ７３  板，  ７４  板
【図１】
2006337924.tif 000003
【図２】
2006337924.tif 000004
【図３】
2006337924.tif 000005
【図４】
2006337924.tif 000006
【図５】
2006337924.tif 000007
【図６】
2006337924.tif 000008
【図７】
2006337924.tif 000009
【図８】
2006337924.tif 000010
【図９】
2006337924.tif 000011
【図１０】
2006337924.tif 000012
【図１１】
2006337924.tif 000013
【図１２】
2006337924.tif 000014
【図１３】
2006337924.tif 000015
【図１４】
2006337924.tif 000016
【図１５】
2006337924.tif 000017
【図１６】
2006337924.tif 000018
【図１７】
2006337924.tif 000019
【図１８】
2006337924.tif 000020
【図１９】
2006337924.tif 000021
【図２０】
2006337924.tif 000022